(57)【要約】      （修正有）【課題】エンジンの運転停止時には，燃料通路系は勿論，燃料タンクの上部空間に連なるエアベント系をも同時に遮断して，燃料タンク内に発生する蒸発燃料の大気への放出を防ぎ，また燃料タンクの減圧による変形を防ぐ。【解決手段】弁ハウジング４０と，その内側面との間に大気室４３を画成する第１ダイヤフラム４１と，第１ダイヤフラム４１との間に負圧作動室４４，４５を画成する第２ダイヤフラム４２と，第１ダイヤフラム４１により開・閉動作する第１制御弁５０と，第２ダイヤフラム４２の往・復動により開・閉動作する第２制御弁６０とで複合制御弁Ｖを構成し，第１制御弁５０は，燃料タンクＴ内に連なる大気導通管４９の，大気室４３への開口部を開閉し，第２制御弁６０は，燃料タンクＴ及びエンジンＥの燃料供給部Ｃ間を連通する燃料通路系を開閉し，大気導通管４９及び大気室４３間には，燃料タンクＴ内の減圧時に開弁するリリーフ弁５４を設けた。【選択図】図５
2005054673.tif 000002
【特許請求の範囲】
【請求項１】
弁ハウジング（４０）と，この弁ハウジング（４０）に周縁部を取り付けられて弁ハウジング（４０）の内側面との間に，大気に連なる大気室（４３）を画成する第１ダイヤフラム（４１）と，前記弁ハウジング（４０）に周縁部を取り付けられて前記第１ダイヤフラム（４１）との間に，エンジン（Ｅ）の負圧発生部（１ａ）に連通する負圧作動室（４４，４５）を画成する第２ダイヤフラム（４２）と，前記第１ダイヤフラム（４１）に連結され，前記負圧作動室（４４，４５）での負圧の発生・消失に伴う前記第１ダイヤフラム（４１）の往・復動により開・閉動作する第１制御弁（５０）と，前記第２ダイヤフラム（４２）に連結され，前記負圧作動室（４４，４５）での負圧の発生・消失に伴う前記第２ダイヤフラム（４２）の往・復動により開・閉動作する第２制御弁（６０）とで複合制御弁（Ｖ）を構成し，前記第１制御弁（５０）は，燃料タンク（Ｔ）内の上部空間（３）に連なる大気導通管（４９）の，前記大気室（４３）への開口部を開閉するように構成され，前記第２制御弁（６０）は，燃料タンク（Ｔ）内の燃料油面下及びエンジン（Ｅ）の燃料供給部（Ｃ）間を連通する燃料通路系に介裝され，前記大気導通管（４９）及び前記大気室（４３）間には，大気導通管（４９）内の圧力が前記大気室（４３）より所定値以下に低下したとき開弁するリリーフ弁（５４）を設けたことを特徴とする，エンジンの燃料供給制御装置。
【発明の詳細な説明】
【技術分野】
【０００１】
本発明は，燃料タンク内の上部空間及び大気間を連通するエアベント系と，燃料タンク内の燃料油面下及びエンジンの燃料供給部間を連通する燃料通路系とを開閉制御する，エンジンの燃料供給制御装置に関する。
【背景技術】
【０００２】
従来，燃料タンク内の燃料油面下及びエンジンの燃料供給部間を連通する燃料通路に，エンジンの負圧発生部の発生負圧により開弁作動する負圧応動式の自動燃料コックを介装し，エンジンの運転停止時には，自動燃料コックにより自動的に燃料通路を遮断して，燃料タンクからエンジンの燃料供給部への燃料流下を阻止するようにした，エンジンの燃料供給制御装置は，例えば下記特許文献１に開示されているように，既に知られている。
【特許文献１】実開昭６２−９３１４５号公報
【発明の開示】
【発明が解決しようとする課題】
【０００３】
従来のエンジンの燃料供給制御装置によれば，エンジンの運転停止時，自動燃料コックにより，燃料タンクからエンジンの燃料供給部への燃料流下を阻止することはできるものゝ，燃料タンク内の上部空間は，エアベントを介して大気に開放された状態に置かれるため，燃料タンク内で蒸発燃料が発生すると，それがエアベントを通して大気に放出されることになる。
【０００４】
本発明は，かゝる事情に鑑みてなされたもので，エンジンの運転停止時には，燃料通路系は勿論，燃料タンク内の上部空間に連なるエアベント系をも同時に遮断して，燃料タンク内に発生する蒸発燃料の大気への放出を防ぐことができる，構成簡単な，エンジンの燃料供給制御装置を提供することを目的とする。
【課題を解決するための手段】
【０００５】
上記目的を達成するために，本発明は，弁ハウジングと，この弁ハウジングに周縁部を取り付けられて弁ハウジングの内側面との間に，大気に連なる大気室を画成する第１ダイヤフラムと，前記弁ハウジングに周縁部を取り付けられて前記第１ダイヤフラムとの間に，エンジンの負圧発生部に連通する負圧作動室を画成する第２ダイヤフラムと，前記第１ダイヤフラムに連結され，前記負圧作動室での負圧の発生・消失に伴う前記第１ダイヤフラムの往・復動により開・閉動作する第１制御弁と，前記第２ダイヤフラムに連結され，前記負圧作動室での負圧の発生・消失に伴う前記第２ダイヤフラムの往・復動により開・閉動作する第２制御弁とで複合制御弁を構成し，前記第１制御弁は，燃料タンク内の上部空間に連なる大気導通管の，前記大気室への開口部を開閉するように構成され，前記第２制御弁は，燃料タンク内の燃料油面下及びエンジンの燃料供給部間を連通する燃料通路系に介裝され，前記大気導通管及び前記大気室間には，大気導通管内の圧力が前記大気室より所定値以下に低下したとき開弁するリリーフ弁を設けたことを特徴とする。
【０００６】
尚，前記負圧発生部及び燃料供給部は，後述する本発明の実施例中のクランク室１ａ及び気化器Ｃにそれぞれ対応し，また前記負圧作動室は，相互に連通する第１及び第２負圧作動室４４，４５に対応し，前記燃料通路系は燃料導入管７０，燃料導管７１，燃料室４６及び燃料出口７２に対応する。
【発明の効果】
【０００７】
本発明によれば，エンジンの運転時には，エンジンの負圧発生部に発生した負圧が弁ハウジングの負圧作動室に伝達し，それに伴ない第１及び第２ダイヤフラムが往動して第１及び第２制御弁を開弁するので，大気導通管及び燃料通路系が開放され，燃料タンクからエンジンの燃料供給部への燃料供給をスムーズに行うことができる。
【０００８】
このエンジンの運転を停止すれば，エンジンの負圧発生部の負圧と共に，弁ハウジングの負圧作動室の負圧も消失し，それに伴ない第１及び第２ダイヤフラムが復動して第１及び第２制御弁が閉弁するので，エアベント系及び燃料通路系が共に閉鎖されるので，燃料タンクからエンジンの燃料供給部への燃料供給を阻止するのみならず，燃料タンク内に発生した蒸発燃料の大気への放出を防ぐことができる。
【０００９】
しかも極寒地などで，燃料タンクが外気により冷却され，その内部の圧力が所定値以下に低下した場合には，大気導通管及び前記大気室間に設けられたリリーフ弁が開弁することにより，大気室から大気導入管を介して燃料タンク内に大気が補充され，内部の過度の減圧により燃料タンクの収縮変形を防ぐことができる。
【００１０】
また上記効果は，単一の弁ハウジングに第１及び第２制御弁を収容した複合制御弁により達成されるので，エンジンの燃料供給制御装置の構成の簡素化を図ることができる。
【発明を実施するための最良の形態】
【００１１】
本発明の実施の形態を，添付図面に示す本発明の好適な実施例に基づいて以下に説明する。
【００１２】
図１は本発明の実施例に係る，燃料タンク付きバーチカル型エンジンの側面図，図２は図１中の気化器周辺部の平面図，図３は図２の３−３線断面図，図４は図１中の燃料タンクの要部拡大縦断面図，図５は図３中の複合制御弁の拡大縦断面図（エンジン運転停止状態で示す。），図６は複合制御弁の，燃料タンク内昇圧時の作用説明図，図７は複合制御弁の，燃料タンク内減圧時の作用説明図，図８は複合制御弁の，エンジン運転時の作用説明図，図９は図５の９−９線断面図，図１０は図２の１０−１０線断面図，図１１は図２中のオイル流出防止手段の作用説明図である。
【００１３】
先ず，図１及び図２において，符号Ｅは，４サイクル・バーチカル型の汎用エンジンを示す。即ち，このエンジンＥのクランクケース１に支持されるクランク軸２は鉛直方向に配置されて，その出力端部をクランクケース１の下方へ突出させている。クランクケース１の上部には，燃料タンクＴ及びリコイルスタータ４が取り付けられる。
【００１４】
クランクケース１の一側には，シリンダ軸線を水平にしたシリンダブロック５が連設され，このシリンダブロック５の先端に接合されたシリンダヘッド６の一側面に気化器Ｃが取り付けられる。
【００１５】
図３において，気化器Ｃは，シリンダヘッド６の吸気ポート６ａに吸気道１１を連ねる気化器本体１０と，この気化器本体１０の下面に接合される，フロート室１２ａを有するフロート室体１２と，フロート室１２ａ内の燃料油面下を吸気道１１のベンチュリ部に連通する燃料ノズル１３と，吸気道１１をその上流側で開閉するチョーク弁１４と，吸気道１１をその下流側で開閉するスロットル弁１５と，フロート室体１２の燃料入口１６を開閉してフロート室１２ａの貯留燃料の油面を一定に制御するフロート弁１７とを備えており，燃料ノズル１３は，気化器本体１０の下部に形成されるノズル支持筒１０ａに保持される。上記フロート室体１２の一側には，燃料タンクＴのエアベント系の開閉，並びに燃料タンクＴからフロート室１２ａに至る燃料通路系の開閉をエンジンＥの運転状態に応じて自動的に制御する複合制御弁Ｖが設けられる。それについては後述する。
【００１６】
図４において，燃料タンクＴの天井壁一側部に形成された給油口筒２０は，その外周に螺合するタンクキャップ２１により密閉される。給油口筒２０の内面には，通気孔２２が開口し，この通気孔２２は，燃料タンクＴ内を上下に延びて，その底壁を貫通する内側エアベント管２３に連通し，この内側エアベント管２３の下端部に，燃料タンクＴ下方に配管される外側エアベント管２４の一端が接続される。内側エアベント管２３は燃料タンクＴと一体に形成される。
【００１７】
而して，燃料タンクＴ内に配置される内側エアベント管２３は，他物との接触から保護されることになる。またエアベント管を燃料タンクＴの上方に延出させる必要がないから，燃料タンクＴの外観を良好に保つことができる。
【００１８】
タンクキャップ２１には，燃料タンクＴ内の上部空間３と通気孔２２との間に介在する気液分離手段２５が設けられる。この気液分離手段２５は仕切り部材２６と，連続気孔を持つウレタンフォーム等からなる多孔質部材２７とから構成される。その仕切り部材２６はゴム等の弾性材からなるもので，下方に摺鉢状に凹入した上端壁２８ａを有して給油口筒２０内に配置される円筒部２８と，この円筒部２８の上端から半径方向外方に突出して，タンクキャップ２１の端壁と給油口筒２０の端面との間に挟持されるフランジ部２９とを備えており，円筒部２８の下端部には，給油口筒２０の下端部内周面に密接するシールビード２８ｂが形成される。また上端壁２８ａ及びフランジ部２９には小孔３０，３１がそれぞれ穿設される。この仕切り部材２６は，給油口筒２０内を，燃料タンクＴ内の上部空間３に連なる内側室３２と，この内側室３２を円筒部２８を挟んで囲繞する外側室３３と，これら内側及び外側室３２，３３に小孔３０，３１を介してそれぞれ連通する上部室３５とに区画するもので，前記通気孔２２は外側室３３に開口するように配置される。
【００１９】
前記多孔質部材２７は，上端壁２８ａの小孔３０を覆うように上部室３５にセットされる。また上端壁２８ａには，小孔３０を囲むようにして内側室３２側，即ち下方へ突出する筒状の波除３４が連設される。
【００２０】
而して，通気孔２２と燃料タンクＴ内の上部空間３とは，外側室３３，小孔３１，上部室３５，多孔質部材２７，小孔３０及び内側室３２を介して相互に連通し，燃料タンクＴ内の呼吸を可能にする。一方，燃料タンクＴ内の燃料が波立ちにより内側室３２に浸入しても，波除３４により小孔３０への浸入を防ぐことができる。若し，その燃料が小孔３０を通過して上部室３５に浸入したときは，その燃料は多孔質部材２７により吸収され，多孔質部材２７の吸液能が飽和状態になれば，摺鉢状の上端壁２８ａに沿って小孔３０へ流れ，燃料タンクＴ内に滴下する。こうして，燃料タンクＴ内の燃料が外側の小孔３１を通って外側室３３に達することはなく，したがって通気孔２２への燃料浸入を防ぐことができる。
【００２１】
さて，前記複合制御弁Ｖについて図５により説明する。
【００２２】
複合制御弁Ｖの弁ハウジング４０は，第１ブロック４０ａ，第２ブロック４０ｂ及び第３ブロック４０ｃを順次重ね，接合して構成される。その際，第１ブロック４０ａ及び第２ブロック４０ｂ間に第１ダイヤフラム４１の外周縁部が，また第２ブロック４０ｂ及び第３ブロック４０ｃ間に第２ダイヤフラム４２の外周縁部がそれぞれ挟持される。そして，第１ブロック４０ａ及び第１ダイヤフラム４１間には大気室４３が，また第１ダイヤフラム４１及び第２ブロック４０ｂ間には第１負圧作動室４４が，第２ブロック４０ｂ及び第２ダイヤフラム４２間には第２負圧作動室４５がそれぞれ画成される。また第２ダイヤフラム４２及び第３ブロック４０ｃ間には燃料室４６がそれぞれ画成される。
【００２３】
第１ブロック４０ａの一側には大気入口管４７が一体に形成され，これに，フィルタ４８付きの大気入口管４７が接続され，大気室４３が常時，大気圧に保たれるようになっている。また第１ブロック４０ａの他側壁には，内端を大気室４３に開口する大気導入管４９が一体に形成され，この大気導入管４９の外端には，前記外側エアベント管２４の他端が接続される。
【００２４】
大気導入管４９の内端部は，大気室４３側に突出する第１弁座５１に形成され，この第１弁座５１と協働して大気導入管４９を開閉する第１弁体５２が第１ダイヤフラム４１の中心部に形成され，この第１弁体５２を第１弁座５１側に付勢する第１戻しばね５３が第１ダイヤフラム４１及び第２ブロック４０ｂ間に縮設される。上記第１弁体５２及び第１弁座５１により，大気導入管４９を開閉する第１制御弁５０が構成される。
【００２５】
第１ブロック４０ａ及び大気導入管４９間の隔壁には，燃料タンクＴ内が所定圧力以下に減圧したときのみ開弁して，大気室４３から大気導入管４９への空気の流れを許容するリリーフ弁５４が設けられる。
【００２６】
第２ブロック４０ｂには，第１負圧作動室４４に連通する負圧導入管５５が連結され，この負圧導入管５５と，エンジンＥのクランクケース１に形成されて，そのクランク室１ａに通ずる負圧取り出し管５６とが負圧導管５７により接続される。
【００２７】
図５及び図９に示すように，第２ブロック４０ｂ及び負圧導入管５５の連結部にはチェック弁６５が設けられる。このチェック弁６５は，第２ブロック４０ｂ及び負圧導入管５５間に挟持される弁座板６６及び弾性弁板６７からなっている。弁板６７は，弁座板６６の，負圧導入管５５側に配置されて，弁座板６６の前後の圧力差に応じて弁座板６６の弁孔６６ａを開閉する。したがって，チェック弁６５，負圧導入管５５から第１負圧作動室４４への負圧の伝達のみを許容する。即ち，負圧導入管５５側の圧力が第１負圧作動室４４側より低いとき開弁し，負圧導入管５５側の圧力が第１負圧作動室４４側より高いとき閉弁する。上記弁座板６６には，弁板６７の開閉動作に関係なく，負圧導入管５５及び第１負圧作動室４４間を常時連通する絞り孔６８が穿設される。この絞り孔６８は，弁板６７の弁孔６６ａに臨む部分に設けることもできる。
【００２８】
第２ブロック４０ｂには，第１及び第２負圧作動室４４，４５間を常時連通する通孔５８が穿設される。
【００２９】
第３ブロック４０ｃには燃料導入管７０が一体に形成され，この燃料導入管７０には，燃料タンクＴ内の底部（図４参照）に連なる燃料導管７１が接続される。また第３ブロック４０ｃには，前記フロート室体１２の燃料入口１６に接続される燃料出口７２が設けられる。
【００３０】
上記燃料導入管７０の，燃料室４６に開口する内端は，燃料室４６側に突出する第２弁座６１に形成され，この第２弁座６１と協働して燃料導入管７０を開閉する第２弁体６２が第２ダイヤフラム４２の中心部に形成され，この第２弁体６２を第２弁座６１との着座方向に付勢する第２戻しばね６３が縮設される。
【００３１】
この複合制御弁Ｖの作用について説明する。
〔エンジンＥの運転停止時（図５参照）〕
エンジンＥの運転停止状態では，クランク室１ａは大気圧状態となるから，クランク室１ａに絞り孔６８を介して連通する第１及び第２負圧作動室４４，４５も大気圧となる。その結果，第１及び第２ダイヤフラム４１，４２は，第１及び第２戻しばね６３，６３のセット荷重により第１及び第２弁座５１，６１側にそれぞれ付勢され，第１及び第２弁体５２，６２が第１及び第２弁座５１，６１にそれぞれ着座し，即ち第１及び第２制御弁５０，６０が共に閉弁して，大気導入管４９及び燃料導入管７０をそれぞれ遮断する。
【００３２】
一方，燃料タンクＴ内が略大気圧状態にあれば，第１弁体５２の第１弁座５１への着座を阻害しないと共に，常閉型のリリーフ弁５４が閉弁して，大気導入管４９及び大気室４３間の連通を遮断している。
【００３３】
こうして，大気導入管４９及び燃料導入管７０が遮断されると，燃料タンクＴから気化器Ｃへの燃料の無用な流下を防ぐと共に，燃料タンクＴ内で発生した蒸発燃料の大気への放出を防ぐことができる。
〔燃料タンクＴ内の昇圧時（図６参照）〕
上記のようにエンジンＥが運転停止状態にあるとき，燃料タンクＴが太陽熱等により加熱され，その内圧が所定値以上に上昇すると，その圧力により第１弁体５２が第１戻しばね５３のセット荷重に抗して第１弁座５１から離座し，即ち第１制御弁５０が開弁して，大気導入管４９を大気室４３に開放するので，燃料タンクＴ内の圧力の過度の増加分が大気に解放されることになり，内部の過度の昇圧による燃料タンクＴの膨張変形を防ぐことができる。
〔燃料タンクＴ内の減圧時（図７参照）〕
例えば寒冷地において，エンジンＥが運転停止状態にあって，燃料タンクＴが外気により冷却され，その内部の圧力が所定値以下に低下したすると，リリーフ弁５４がその前後の圧力差により開弁して，大気室４３から大気導入管４９への空気の流れを許容するので，燃料タンクＴ内に大気が補充され，内部の過度の減圧により燃料タンクＴの収縮変形を防ぐことができる。
〔エンジンＥの運転時（図８参照）〕
エンジンＥの運転中は，ピストンの往復運動に伴いクランク室１ａにおいて正圧と負圧を交互に繰り返す圧力の脈動が起こり，それが負圧導管５７及び負圧導入管５５を通してチェック弁６５へと伝達する。そのチェック弁６５は，正圧の伝達時には閉じ，負圧伝達時に開くので，結局，負圧のみがチェック弁６５を通過して先ず第１負圧作動室４４に伝達し，次いで通孔５８を経て第２負圧作動室４５へと伝達する。
【００３４】
こうして第１負圧作動室４４が所定の負圧状態になると，第１ダイヤフラム４１が第１戻しばね５３のセット荷重に抗して第１負圧作動室４４側に引かれて第１弁体５２を第１弁座５１から離座させ，即ち第１制御弁５０が開弁して大気導入管４９を開放するので，燃料タンクＴ内の上部空間３は外気を自由に呼吸し得る状態となり，また第２負圧作動室４５が所定の負圧状態になると，第２ダイヤフラム４２が第２戻しばね６３のセット荷重に抗して第２負圧作動室４５側に引かれて第２弁体６２を第２弁座６１から離座させ，即ち第２制御弁６０が開弁して燃料導入管７０を開放するので，燃料タンクＴ内の燃料は，燃料導管７１，燃料導入管７０及び燃料室４６を通して，気化器Ｃのフロート室１２ａに供給される。
【００３５】
ところで，上記のように燃料タンクＴのエアベント系の開閉と，燃料タンクＴから気化器Ｃへの燃料供給系の開閉とを制御する複合制御弁Ｖは，単一の弁ハウジング４０と，その内部に設けられる第１及び第２ダイヤフラム４１，４２，並びに第１及び第２制御弁５０，６０とで構成されるので，この構成は簡単であり，比較的安価に提供することができる。しかも，第１及び第２ダイヤフラム４２は，第１及び第２負圧作動室４４，４５を挟んで対向配置されるので，複合制御弁Ｖのコンパクト化を図ることができる。
【００３６】
次に，図２，図１０及び図１１において，前記負圧導管５７の上流端には，前記負圧取り出し管５６の内周面に嵌合する接続筒５７ａが一体に形成されており，これら負圧取り出し管５６及び接続筒５７ａは通常，水平位置に保たれる。接続筒５７ａには，エンジンＥの運搬時や格納時，エンジンＥの如何なる姿勢においても，クランク室１ａから負圧導管５７への潤滑オイルの流出を防ぐオイル流出防止手段８０が設けられる。
【００３７】
このオイル流出防止手段８０は，負圧導管５７の内周面に嵌合固定されて接続筒５７ａの中心部に配置され，両端を開放した内筒８１と，この内筒８１及び接続筒５７ａ間に同心状に配置される外筒８２とからなっている。外筒８２は，内筒８１の先端に間隔を開けて対向する端壁８２ａを有しており，その端壁８２ａの外面から外筒８２の外周面にかけて十字状若しくは放射状のリブ８３が形成され，このリブ８３が，接続筒５７ａの開口端部内周の内向き肩部８７に係合することで，外筒８２は接続筒５７ａの底部に保持される。また上記リブ８３が接続筒５７ａの内周面に当接することで接続筒５７ａ及び外筒８２間に通気間隙８４が画成される。また外筒８２及び内筒８１間にも，内筒８１内に連通する通気間隙８５が画成される。さらに外筒８２の先端には，上記両通気間隙８４，８５間を連通する複数の切欠き８６が設けられる。
【００３８】
而して，エンジンＥの運転中は，図１１（Ａ）に示すように，通常，負圧取り出し管５６は略水平に保たれおり，クランク室１ａと負圧導管５７との間は，接続筒５７ａ，外筒８２及び内筒８１の各間の通気間隙８４，８５及び切欠き８６を通して連通され，圧力脈動の負圧導管５７への伝達を可能にする。この状態では，クランク室１ａ内の潤滑オイルＯのミストが多少とも両通気間隙８４，８５の下部に浸入して溜まった場合でも，それによってクランク室１ａと負圧導管５７との連通が遮断されることはない。
【００３９】
エンジンＥの運搬時や格納時に，エンジンＥを一定角度以上に傾けると，図１１（Ｂ）及び（Ｃ）に示すように，負圧取り出し管５６も傾き，若しくは逆さになり，クランク室１ａ内の潤滑オイルＯが接続筒５７ａ内に流入して，外側の通気間隙８４を埋めると，そのオイルにより内筒８１とクランク室１ａとの連通が断たれ，しかも内筒８１が負圧導管５７を介して連通する第１及び第２負圧作動室４４，４５は，大気とは遮断された密閉室であるから，外側の通気間隙８４を埋めたオイルは，内側の通気間隙８５を上昇し得ず，したがって内筒８１及び負圧導管５７へのオイルの流出を防ぐことができる。
【００４０】
本発明は上記実施例に限定されるものではなく，その要旨を逸脱しない範囲で種々の設計変更が可能である。例えば，負圧導通管５５は，第２負圧作動室４５側に接続しても，又は第１，第２両負圧作動室４４，５５に接続してもよい。
【図面の簡単な説明】
【００４１】
【図１】本発明の実施例に係る，燃料タンク付きバーチカル型エンジンの側面図
【図２】図１中の気化器周辺部の平面図
【図３】図２の３−３線断面図
【図４】図１中の燃料タンクの要部拡大縦断面図
【図５】図３中の複合制御弁の拡大縦断面図（エンジン運転停止状態で示す。）
【図６】複合制御弁の，燃料タンク内昇圧時の作用説明図
【図７】複合制御弁の，燃料タンク内減圧時の作用説明図
【図８】複合制御弁の，エンジン運転時の作用説明図
【図９】図５の９−９線断面図
【図１０】図２の１０−１０線断面図
【図１１】図２中のオイル流出防止手段の作用説明図
【符号の説明】
【００４２】
Ｃ・・・・・・・気化器（燃料供給部）
Ｅ・・・・・・・エンジン
Ｔ・・・・・・・燃料タンク
Ｖ・・・・・・・複合制御弁
１ａ・・・・・・クランク室（負圧発生部）
３・・・・・・・燃料タンク内の上部空間
４０・・・・・・弁ハウジング
４１・・・・・・第１ダイヤフラム
４２・・・・・・第２ダイヤフラム
４３・・・・・・大気室
４４・・・・・・第１負圧作動室（負圧作動室）
４５・・・・・・第２負圧作動室（負圧作動室）
４９・・・・・・大気導入管
５０・・・・・・第１制御弁
５４・・・・・・リリーフ弁
６０・・・・・・第２制御弁
７０・・・・・・燃料導入管（燃料通路系）
７１・・・・・・燃料導管（燃料通路系）
７２・・・・・・燃料出口（燃料通路系）
【図１】
2005054673.tif 000003
【図２】
2005054673.tif 000004
【図３】
2005054673.tif 000005
【図４】
2005054673.tif 000006
【図５】
2005054673.tif 000007
【図６】
2005054673.tif 000008
【図７】
2005054673.tif 000009
【図８】
2005054673.tif 000010
【図９】
2005054673.tif 000011
【図１０】
2005054673.tif 000012
【図１１】
2005054673.tif 000013